(57)【要約】【課題】パチンコ機の外枠において、コストの低減を図る上で有効な技術を提供する。【解決手段】左右の縦板１１，１２と、該左右の縦板１１，１２の上端部間に位置する天板と、左右の縦板１１，１２の下端部間に位置する地板１４とが互いに接合されて矩形状に枠組みされるパチンコ機の外枠において、地板１４を、縦板１１，１２および天板の奥行幅とほぼ同一の奥行幅を有する地板本体１４ａの前面に、該地板本体１４ａの厚みおよび横幅に合わせた補助材１４ｂをその上面および下面が地板本体１４ａの上面および下面に対して面一をなすように接合して形成した。【選択図】　図３
2004024713.tif 000002
【特許請求の範囲】
【請求項１】
左右の縦板と、該左右の縦板の上端部間に位置する天板と、前記左右の縦板の下端部間に位置する地板とが互いに接合されて矩形状に枠組みされるパチンコ機の外枠であって、
前記地板を、前記縦板および天板の奥行幅とほぼ同一の奥行幅を有する地板本体の前面に、該地板本体の厚みおよび横幅に合わせた補助材をその上面および下面が前記地板本体の上面および下面に対して面一をなすように接合して形成したことを特徴とするパチンコ機の外枠。
【発明の詳細な説明】
【０００１】
【発明の属する技術分野】
この発明は、パチンコ機の外枠に係り、詳しくは外枠の下端部に位置する地板の改善に関する。
【０００２】
【従来の技術】
パチンコ機の外枠は、よく知られているように、パチンコ機の本体となる遊技盤が固着された前枠をパチンコホールの取付台に組付けるための基枠となるものであり、通常は木製の板材を用いて形成している。具体的には、左右の縦板と、左右の縦板の上端部間に位置する天板と、左右の縦板の下端部間に位置する地板とを互いに接合することによって矩形状に枠組みされている。また、外枠の前面下部には、幕板が備えられている。この幕板は、外枠に上下の蝶番を介して開閉自在に取り付けられる前枠の下方に位置し、枠強度を補強するとともに、閉状態の前枠を下方から支持する。
地板は、縦板や天板よりも奥行幅（前後幅）の大きい板材を以って形成されている。すなわち、地板は前方に張り出し部を有する構造であり、床面に安定した状態で置く（立てる）ことができるとともに、幕板を下方から支持することができるようになっている。
【０００３】
【発明が解決しようとする課題】
ところが、上述したような、地板に張り出し部が形成されている構造の外枠の場合、地板の奥行幅を天板および左右の縦板の奥行幅よりも大きくせざるを得ない。このため、外枠を構成する縦板と天板は、奥行幅が同一の板材から形成できるが、地板については、それより大きい奥行幅の板材を準備（購入）しなければならない。地板に用いる板材は、寸法が大きい分、割高であり、また２種類の板材を準備しなければならないことから、その仕入れや仕入れ後の管理等が面倒で煩わしいといった問題がある。
因みに、地板の奥行幅を天板の奥行幅と同一寸法に形成したタイプの外枠が知られているが、このタイプは、例えば外枠を床面に置いたとき（立てたとき）、接地面積が小さい（奥行幅が狭い）ことから、安定性に欠けるという問題がある。
【０００４】
本発明は、上述した従来の問題点に鑑みてなされたものであり、その目的とするところは、パチンコ機の外枠において、コストの低減を図る上で有効な技術を提供することにある。
【０００５】
【課題を解決するための手段】
上記課題を達成するため、本発明に係るパチンコ機の外枠は、請求項１に記載の通り構成した。すなわち、請求項１に記載のパチンコ機の外枠では、左右の縦板と、該左右の縦板の上端部間に位置する天板と、左右の縦板の下端部間に位置する地板とが互いに接合されて矩形状に枠組みされている。そして、地板を、縦板および天板の奥行幅とほぼ同一の奥行幅を有する地板本体の前面に、該地板本体の厚みおよび横幅に合わせた補助材をその上面および下面が地板本体の上面および下面に対して面一をなすように接合して形成している。
このように、請求項１の発明によれば、外枠を構成する左右の縦板、天板、地板を木製の板材で形成する場合において、地板の地板本体を、縦板および天板を形成するための板材と同じ板材を用いて形成することができる。このため、外枠を製作するに当たり、１種類の板材を準備すれば足りることになり、２種類の板材を準備していた従来に比べて仕入れ費用の低減が図れることになり、また仕入れや仕入れ後の管理等も容易になる。そして、補助材には、例えば、比較的割安な小寸法の木製の角材や廃材、あるいは樹脂成形品等を用いることができる。このようなことから、地板に関して、ひいては外枠に関してコストの低減に寄与することが可能となる。
【０００６】
【発明の実施の形態】
以下、本発明の実施の形態を図面に基づいて説明する。図１および図２は本実施の形態に係るパチンコ機の外枠および該外枠に装着された前枠を示す斜視図であり、図１は前枠開放状態を示し、図２は前枠閉止時を示す。また、図３は前枠が取り外された状態の外枠下部の拡大斜視図であり、図４は図３のＡ−Ａ線断面図であり、図５は地板本体と補助材との接合構造を示す分解斜視図である。
【０００７】
図１および図２に示すように、外枠１０は、左の縦板１１と、右の縦板１２と、左右の縦板１１，１２の上端部間に位置する天板１３と、左右の縦板１１，１２の下端部間に位置する地板１４とを相互に接合することによって縦長の矩形状に枠組みされている。外枠１０の前面下部には、幕板１５が設けられている。幕板１５は、左右の縦板１１，１２の前面に掛け渡されて該縦板１１，１２に釘やネジ等によって固着されており、これにより外枠１０の強度が補強されている。
なお、外枠１０を構成する上記の各板１１〜１５は、それぞれ木製の板材から形成されている。
【０００８】
また、外枠１０の前面には、パチンコ機の本体を構成する図示省略の遊技盤や各種の機構装置、部品類が取り付けられた前枠２０が配置されている。この前枠２０は幕板１５の上方における外枠１０の前面を覆い得る外形を有するとともに、該外枠１０に上下の蝶番２１，２２を介して開閉可能に取り付けられており、閉状態では幕板１５の上面によって支持される。
【０００９】
さて、外枠１０を構成する各板１１〜１４のうち、左右の縦板１１，１２と天板１３は、奥行幅（前後幅）が等しく形成されており、各前面が同一平面上で揃っている。したがって、縦板１１，１２および天板１３は、奥行幅が同じ板材から形成される。
【００１０】
一方、地板１４は、縦板１１，１２および天板１３と同じ奥行幅を有する地板本体１４ａと、その地板本体１４ａの前面に接合される補助材１４ｂとによって形成されている。すなわち、この実施の形態では、縦板１１，１２に接合される地板１４の地板本体１４ａを、縦板１１，１２や天板１３と同じ奥行幅の板材によって形成する一方、その地板１４の前面に補助材１４ｂを接合することによって地板１４の前面張り出し部を構成したものである。
補助材１４ｂは、その厚みおよび横幅（左右幅）が地板本体１４ａの厚みおよび横幅と同一に設定されており、例えば木製の角材あるいは廃材を以って形成されている。そして、地板本体１４ａに対して上面および下面が面一となるように接合される。地板本体１４ａに対する補助材１４ｂの接合は、図４および図５に示すように、地板本体１４ａの前面に凹溝１４ｃを形成する一方、補助材１４ｂの後面に突起１４ｄを形成し、そして、地板本体１４ａと補助材１４ｂの接合面に接着剤を塗布した状態で突起１４ｄを凹溝１４ｃに嵌合することで行う。
凹溝１４ｃおよび突起１４ｄは、図５に示すように、横幅方向の全長に渡って形成することが好ましいが、横幅方向に部分的に形成してもよい。また、地板本体１４ａと補助材１４ｂとの接合は、接着剤に代えて釘やネジを用いてもよい。
その場合、釘またはネジを地板本体１４ａの上面側または下面側から突起１４ｄに刺し込むことによって合理的に接合することができる。
【００１１】
上記のように、この実施の形態によれば、地板１４を、縦板１１，１２や天板１３と同じ奥行幅を有する地板本体１４ａと、その地板本体１４ａの前面に接合される補助材１４ｂとから構成したので、地板本体１４ａについては、縦板１１，１２および天板１３を形成する板材と同じ奥行幅の板材を用いてを形成することができる。このため、外枠１０を製作するに当たり、１種類の板材を準備すれば足りることになり、２種類の板材を準備していた従来に比べて仕入れ費用の低減が図れることになり、また仕入れや仕入れ後の管理等も容易になる。
一方、補助材１４ｂとしては、例えば、比較的割安な小寸法の木製の角材や廃材を用いて形成できる。このようなことから、地板１４に関して、ひいては外枠１０に関してのコストを低減することが可能となる。
【００１２】
また、この実施の形態に係る地板１４は、前方張り出し部を有する構造である。このため、従来の標準タイプの外枠の場合と同様に、床面に置いた状態では、安定した起立姿勢を得ることができるとともに、幕板１５を下方から支持することができる。
【００１３】
なお、本発明は上述した実施の形態に限定されるものではなく、その要旨を逸脱しない範囲内で適宜変更が可能である。
この実施の形態では、補助材１４ｂを木製の角材あるいは廃材を利用して形成するとしたが、これに限らず、例えば、樹脂成形品で形成してもよい。
ところで、パチンコ機においては、幕板の前面（表面）に、前枠前面の意匠に合わせて装飾板を貼り付け、前枠との一体感を図るようにしている。また、地板を木材で形成する場合、同様な理由で、その前面に塗装を施すことによって木質を隠して意匠的調和を図っている。したがって、上記のように、補助材１４ｂを樹脂成形品で形成したときは、塗装を施すことなく、意匠的調和を図り、見栄えを向上できるといった利点がある。
【００１４】
【発明の効果】
以上詳述したように、本発明によれば、パチンコ機の外枠において、コストの低減を図る上で有効な技術を提供することができる。
【図面の簡単な説明】
【図１】この実施の形態に係るパチンコ機の外枠および該外枠に装着された前枠を示す斜視図であり、前枠開放時を示す。
【図２】同じくパチンコ機の外枠および該外枠に装着された前枠を示す斜視図であり、前枠閉止時を示す。
【図３】前枠を取り外した状態の外枠下部を示す拡大斜視図である。
【図４】図３のＡ−Ａ線断面図である。
【図５】地板本体と補助材との接合構造を示す分解斜視図である。
【符号の説明】
１０…外枠
１１…縦板
１２…縦板
１３…天板
１４…地板
１４ａ…地板本体
１４ｂ…補助材
１５…幕板
２０…前枠
【図１】
2004024713.tif 000003
【図２】
2004024713.tif 000004
【図３】
2004024713.tif 000005
【図４】
2004024713.tif 000006
【図５】
2004024713.tif 000007